(57)【要約】【課題】引戸の振れを防止できる扉ガード部材、および、そのような扉ガード部材を含んだ引戸装置を提供する。【解決手段】扉ガード部材１０は、扉開口を形成した縦枠２の内側面に対して接離移動する引戸８における戸先側の木口面８ａの下部を覆うように取り付けられる木口保護材１１と、引戸８に取り付けた木口保護材１１に相対するように、縦枠２の内側面に取り付けられる戸当たり材１５とを備えており、木口保護材１１および戸当たり材１５のそれぞれの接離面には相互に係合する係合部（連続凹凸条１２、１６）が形成されている。【選択図】図１
2017031705.tif 000002
【特許請求の範囲】
【請求項１】
扉開口を形成した縦枠の内側面に対して接離移動する引戸における戸先側の木口面の下部を覆うように取り付けられる木口保護材と、
前記引戸に取り付けた前記木口保護材に相対するように、前記縦枠の内側面に取り付けられる戸当たり材とを備えており、
前記木口保護材および前記戸当たり材のそれぞれの接離面には相互に係合する係合部が形成されていることを特徴とする扉ガード部材。
【請求項２】
請求項１において、
前記係合部はいずれも、見込み方向に同幅ピッチで連続する連続凹凸条で構成されている、扉ガード部材。
【請求項３】
請求項２において、
前記連続凹凸条の全体の幅寸法が相互に異なる、扉ガード部材。
【請求項４】
請求項１または２において、
前記戸当たり材は、軟質樹脂の板材で形成されており、前記縦枠の内側面の下部に固定される、扉ガード部材。
【請求項５】
請求項１〜４のいずれか１項に記載された扉ガード部材を備えた上吊り式の引戸装置であって、
前記引戸の下端部に戸先側端部から戸尻側端部にいたる案内溝を有しており、
前記引戸の戸尻側の床面に、前記案内溝に挿入されて前記引戸の走行をガイドするガイドピンを設けたことを特徴とする引戸装置。
【発明の詳細な説明】
【技術分野】
【０００１】
本発明は、引戸の木口面を保護する扉ガード部材およびその扉ガード部材を含んだ引戸装置に関する。
【背景技術】
【０００２】
病院や高齢者施設、一般住宅などの建物内の扉開口に設けられた引戸の木口面に、車椅子などの衝突から木口面を保護するための扉ガード部材を取り付けることが提案、実施されている（特許文献１参照）。
【先行技術文献】
【特許文献】
【０００３】
【特許文献１】特開２００１−１２３７５５号公報
【発明の概要】
【発明が解決しようとする課題】
【０００４】
ところで近年、バリアフリーを想定した一般住宅では、車椅子が通りやすい幅広の上吊り引戸が実施されている。このような上吊り式でかつ幅広の引戸の場合、引戸の戸先部が見込み方向に大きく振れるおそれがある。特に上吊り式では、引戸の下部が振れやすい。
【０００５】
また、ガイドピンが戸尻側の中方立近傍の床面に固定されているものでは、戸先が閉位置近傍にあるときに戸先部の振れは大きくなりやすい。戸先側の床面にマグネットガイドピンを設けることも想定できるが、段差ができ邪魔になるし、コンクリート床の場合には設置自体がしにくく、種々の上吊り引戸にとって振れ防止の有効な手段とはならない。
【０００６】
戸先部の振れを抑制するためには、戸先部に振れ止め構造を付加すれることも考えられるが、上述したような扉ガード部材が取り付けてあれば、振れ止め構造を付加することは容易ではない。
【０００７】
本発明は、このような事情を考慮して提案されたもので、その目的は、引戸の振れを防止できる扉ガード部材、および、そのような扉ガード部材を含んだ引戸装置を提供することにある。
【課題を解決するための手段】
【０００８】
上記目的を達成するために、本発明の扉ガード部材は、扉開口を形成した縦枠の内側面に対して接離移動する引戸における戸先側の木口面の下部を覆うように取り付けられる木口保護材と、引戸に取り付けた木口保護材に相対するように、縦枠の内側面に取り付けられる戸当たり材とを備えており、木口保護材および戸当たり材のそれぞれの接離面には相互に係合する係合部が形成されていることを特徴とする。
【０００９】
また、本発明の引戸装置は、上記扉ガード部材を備えた上吊り式の引戸装置であって、引戸の下端部に戸先側端部から戸尻側端部にいたる案内溝を有しており、引戸の戸尻側の床面に、案内溝に挿入されて前記引戸の走行をガイドするガイドピンを設けたことを特徴とする。
【発明の効果】
【００１０】
本発明の扉ガード部材によれば、上述した構成となっているため、引戸の振れを防止することができる。
【００１１】
また、本発明の引戸装置によれば、上述した構成となっているため、木口面を好適に保護でき、引戸の戸先側の振れを防止することができる。
【図面の簡単な説明】
【００１２】
【図１】本発明の一実施形態に係る扉ガード部材の説明図である。（ａ）は木口保護材の取り付け態様（取り付けた状態）を示す引戸の部分斜視図、（ｂ）は戸当たり材の取り付け態様を示す斜視図である。
【図２】（ａ）（ｂ）は、相対する木口保護材と戸当たり材の係合態様を示した横断面図である。
【図３】本発明の他の実施形態に係る扉ガード部材の説明図である。（ａ）（ｂ）は、相対する木口保護材と戸当たり材の２種の係合態様を示した横断面図である。
【図４】（ａ）は扉ガード部材の取付対象である引戸装置の分解斜視図、（ｂ）は引戸装置の一部の拡大斜視図である。
【発明を実施するための形態】
【００１３】
以下に、本発明の実施の形態について、添付図面にもとづいて説明する。まず、以下の各種の扉ガード部材の共通の概略基本構成について説明する。
【００１４】
扉ガード部材１０は、引戸８における戸先側の木口面８ａの下部を覆うように取り付けられる木口保護材１１と、引戸８に取り付けた木口保護材１１に相対するように、縦枠２の内側面に取り付けられる戸当たり材１５とを備えている（図１〜図４参照）。
【００１５】
この引戸８は、扉開口を形成した縦枠２の内側面に対して接離移動する構成となっている（図５参照）。そして、扉ガード部材１０を構成する木口保護材１１および戸当たり材１５のそれぞれの接離面には、相互に係合する係合部（たとえば連続凹凸条１２、１６）が形成されている（図１参照）。
【００１６】
このような扉ガード部材１０は、図４に示すような引戸装置１における引戸８および縦枠２に取り付けられる。
【００１７】
この引戸装置１は、図４（ａ）に示すように、両縦枠２（図４（ａ）には一方のみ図示）と上枠３とにより扉開口が形成され、上枠３の下面に固着した上レール４に取り付けたランナー部材５、５にて、引戸８が縦枠２間を上吊り移動できる構成となっている。また、縦枠２間の中央には中方立６が配設されている。
【００１８】
図４（ａ）に示した引戸装置１において、扉ガード部材１０の木口保護材１１が取り付けられる引戸８の部位、および扉ガード部材１０の戸当たり材１５が取り付けられる縦枠２の部位を２点鎖線で示した。
【００１９】
また、図４（ｂ）は、ガイドピン７の位置関係を示す図である。この図に示すように、ガイドピン７が引戸８の戸尻側の床面に配設されている。この図例では、ガイドピン７は中方立６に近接するように配されている。一方、引戸８は下端部に戸先側端部から戸尻側端部にいたる案内溝８ｂを有しており、この案内溝８ｂにガイドピン７が挿入されて走行がガイドされるようになっている。
【００２０】
本扉ガード部材１０は、図１（ａ）に示すように、木口保護材１１が引戸８の戸先側の木口面８ａの下部を覆うように取り付けられ、戸当たり材１５が縦枠２の内側面（戸じゃくり２ａの下部）に取り付けられる。図１、図２に示した例では、引戸８の表裏の見付け面には面材を保護するパネル材１８、１８が取り付けられている。引戸８の両側端において、木口保護材１１が表裏のパネル材１８、１８を面材保持部１１ｂ、１１ｂで挟み込むように取り付けられている。図２には図示を省略したが、戸尻側にも、戸先側の木口保護材１１と対称形状のものが取り付けられている。
【００２１】
ついで、扉ガード部材１０の詳細について説明する。
【００２２】
木口保護材１１は、図１（ａ）に示すように、引戸８の少なくとも戸先側の木口面８ａの下部に、おもに木口面８ａを保護するために取り付けられる部材である。木口保護材１１は、木口面を８ａ覆う木口部１１ａと、木口部１１ａの幅方向の両側端からほぼ平行に延びる一対の面材保持部１１ｂ、１１ｂとを備えている（図１（ａ）および図２（ａ）（ｂ）参照）。
【００２３】
この木口保護材１１は、引戸８に取り付けられたときには、木口部１１ａにより引戸８の木口面８ａの下部を覆い、さらに木口部１１ａと面材保持部１１ｂとの入り隅部により、木口面８ａと表裏面との角部８ｃを保護する（図１（ａ）参照）。そして、本実施形態に係る木口保護材１１は、両面材保持部１１ｂ、１１ｂが表裏のパネル材１８、１８を引戸８に対して挟着するように取り付けられ、パネル材１８、１８が外れないようになっている（図１（ａ）および図２（ａ）（ｂ）参照）。
【００２４】
この木口保護材１１の木口部１１ａは、その外面に戸当たり材１５の係合部と係合する係合部を備えている。この係合部は、上端から下端までの上下方向に沿った凹条１２ａ、凸条１２ｂが見込み方向に同ピッチで連続形成された連続凹凸条１２よりなる（図１（ａ）および図２、図３参照）。
【００２５】
一方、扉ガード部材１０の他の構成材である戸当たり材１５は、図１（ｂ）に示すように、縦枠２の内側面である見込み面に溝状に形成された戸じゃくり２ａの底部に取り付けられる板材である。戸当たり材１５の素材は特に限定されず、合成樹脂などで形成されればよい。戸当たり材１５は図２等に示すように、戸じゃくり２ａの底部に配設されるため、引戸８の閉止の際に木口保護材１１の木口部１１ａと接触するが、他の要因により損傷するおそれはほとんどない。そのため、軟質樹脂で形成された戸当たり材１５を用いてもよい。
【００２６】
この戸当たり材１５は木口保護材１１と概ね同じ高さ寸法とされ、縦枠２において、引戸８に取り付けた木口保護材１１と同じ高さ位置に取り付けられる。なお、木口保護材１１および戸当たり材１５は係合部どうしが係合して見込み方向にずれないようにした構成であればよい。そのため、戸当たり材１５の係合部の少なくとも一部が木口保護材１１の係合部の一部と相対するように、戸当たり材１５を取り付ければよい。
【００２７】
この戸当たり材１５の係合部も、木口保護材１１の係合部と同様、連続凹凸条１６で形成されている（図１（ｂ）および図２、図３参照）。それぞれの凹条１６ａ、凸条１６ｂは、上端から下端まで形成されている。
【００２８】
両係合部の連続凹凸条１２、１６を構成する凹条１２ａ、１６ａ、凸条１２ｂ、１６ｂは見込み方向に沿った同幅ピッチで形成されており、木口保護材１１の木口部１１ａと戸当たり材１５とを外面どうしで相接触させたときに、連続凹凸条１２、１６どうしが全幅において係合するようになっている。
【００２９】
なお、図２、図３の例では、一方（木口保護材１１）の連続凹凸条１２は外面より複数の凹条１２ａを形成してできた凹部であり、他方（戸当たり材１５）の連続凹凸条１６は外面より複数の凸条１６ｂを形成してできた凸部である。このような形状に限られず、木口保護材１１に凸部形状の連続凹凸条１２を設け、戸当たり材１５に凹部形状の連続凹凸条１６を設けてもよい。
【００３０】
図２（ａ）に示すように、引戸８は閉止動作により戸じゃくり２ａに近接していき、閉止すると、図２（ｂ）に示すように、連続凹凸条１２、１６どうしは相互に噛み合って係合する。
【００３１】
このような構成の扉ガード部材１０によれば、引戸８の閉止の際に連続凹凸条１２、１６どうしが噛み合う構成となっているため、引戸８の閉止状態では、引戸８の見込み方向への振れを防止することができる。
【００３２】
特に図４に示した引戸装置１であれば、引戸８が戸尻側の中方立６の近傍に設けたガイドピン７のみにガイドされる構成であるため、引戸８の戸先が縦枠２に近づくにつれ戸先側が不安定になりやすい。しかしながら、引戸８には上記のような扉ガード部材１０が取り付けてあるため、引戸８の閉止状態での振れはほとんどなくなる。また、引戸８の下部に取り付けた扉ガード部材１０に振れ防止機能を持たせた構成であるため、上吊り引戸で特に起こりやすい下部の振れを好適に防止することができる。
【００３３】
また、木口保護材１１の連続凹凸条１２は上下方向に形成された条形状であるため、車椅子などで一部が損傷した場合でも、両連続凹凸条１２、１６による係合強度が減衰するおそれはほとんどなく、長期にわたって安定した効果が上げられる。
【００３４】
なお、係合部は連続凹凸条１２、１６でなくてもよく、たとえば少なくとも一方の係合部、たとえば図２の例における戸当たり材１５の係合部が相手側の連続凹凸条１２の１つの凹条１２ａに係合する１本の凸条であってもよい。また、一方の係合部、たとえば図２の例における戸当たり材１５の係合部が、条形状ではない、１または複数の突起で構成されてもよい。戸当たり材１５の係合部が突起の場合は、引戸８の閉止状態において、木口保護材１１の連続凹凸条１２の凹条１２ａに嵌まり込む任意の高さ位置の突起であればよい。
【００３５】
また、両係合部は、高さ位置と見込み方向の位置が定まった突起と穴部で構成されていてもよい。なお、引戸８の振れを防止することが目的であるから、突起と穴部とは見込み方向において合致して、ずれ動かないものが望ましい。
【００３６】
ついで、図３に示した扉ガード部材１０について説明する。
【００３７】
この扉ガード部材１０は、木口保護材１１、戸当たり材１５のいずれにも係合部が形成され、それらが同幅ピッチの連続凹凸条１２、１６で構成されている点では、図２のものと同様である。図３における連続凹凸条１２、１６は、その全体の幅寸法（見込み方向の寸法）が相互に異なる点で、図２のものと相違する。
【００３８】
図３（ａ）に示すように、木口保護材１１の木口部１１ａに設けた連続凹凸条１２の凹凸連続数が戸当たり材１５の連続凹凸条１６のものより多い。図３の例では、木口保護材１１の連続凹凸条１２の凹条１２ａは、戸当たり材１５の連続凹凸条１６の凸条１６ａよりも２つ多く形成されている。
【００３９】
そのため、図３（ｂ）に示すように引戸８が見込み方向にずれた場合でも、両係合部はずれた状態で係合するため、引戸８の閉止状態での振れを防止できる。なお、図３（ｂ）のようにずれた状態での係合は、施工の誤差または引戸８の閉止動作による見込み方向へのずれが想定されるが、いずれにおいても両連続凹凸条１２、１６は適切に噛み合うので、閉止状態での振れを防止することができる。上吊り引戸の場合、マグネットガイドピンが設置されていなければ閉止動作中に振れが発生しやすく、見込み方向のいずれかの方向にずれた状態で閉止する場合があるが、ずれた状態でも両係合部はしっかりと係合するので、その後に引戸８が振れるおそれはほとんどない。
【符号の説明】
【００４０】
１          引戸装置
２          縦枠
７          ガイドピン
８          引戸
８ａ        木口面
８ｂ        案内溝
１０        扉ガード部材
１１        木口保護材
１２        連続凹凸条（係合部）
１５        戸当たり材
１６        連続凹凸条（係合部）
【図１】
2017031705.tif 000003
【図２】
2017031705.tif 000004
【図３】
2017031705.tif 000005
【図４】
2017031705.tif 000006